(57)【要約】【課題】Ｘ線管装置においてはＸ線管容器の側面に絶縁油の温度上昇による体積の増加分を吸収するためにベローが取り付けられ、その拡張スペースとしてのスペースが確保されているので、Ｘ線管容器の側面部はその分延長され、その結果Ｘ線管容器やＸ線漏洩を防止するための鉛板の重量が増加し、最終的にＸ線管装置の重量増加につながっている。本発明は上記に起因するＸ線管装置の重量の増加を防止して、Ｘ線透視撮影装置の操作性等に及ぼす悪影響を低減することを目的とする。【解決手段】Ｘ線管容器２の内部で高電圧ソケット４あるいは５等の高電圧印加部から絶縁距離を確保した位置にそれぞれのスペースに適合した形状に成形され、その内部の空間がＸ線管容器２の外部に通じる通気口を有する風船状のゴム製のベロー１０およびベロー１１を取り付ける。【選択図】          図１
2007324013.tif 000002
【特許請求の範囲】
【請求項１】
絶縁油が充填されたＸ線管容器内にＸ線管を封入したＸ線管装置において、前記Ｘ線管容器内にゴム製の風船状に成形されたベローを、このベローの内側の空気が前記Ｘ線管容器の外側の空間に出入り可能に固定したことを特徴とするＸ線管装置。
【請求項２】
一個または複数個のゴム製の風船状に成形されたベローをそれぞれＸ線管容器内の伸縮しても高電圧印加部から絶縁距離を確保できる位置に配置し、絶縁油の膨張を前記ベローの収縮により吸収することにより、前記Ｘ線管容器の長さを短縮したことを特徴とする請求項１記載のＸ線管装置。
【発明の詳細な説明】
【技術分野】
【０００１】
本発明はＸ線管容器とその中に封入配置されるＸ線管を含むＸ線管装置に関するものである。
【背景技術】
【０００２】
Ｘ線管装置は図３に示すように、通常アルミニウム鋳物等により構成されるＸ線管容器２内にＸ線管保持部３等によりＸ線管１を固定して、絶縁油６を満たした構成になっており、高電圧ソケット４および５を経由して外部からＸ線管１に高電圧を印加することによりＸ線を発生するものである。そしてＸ線管容器２の内側には撮影に関係しないＸ線の漏洩を防ぐために鉛板９が敷設されるとともに、Ｘ線管１の陽極（図示しない）の発熱等により絶縁油６の温度が上昇し体積が増加する分を吸収するためにＸ線管容器２の側面にお椀状のゴム成形品のベロー７が取り付けられるとともに、その拡張スペースとしてのベロースペース８が設けられている（例えば特許文献１参照）。
【特許文献１】特開平０９−９２１８８号公報
【発明の開示】
【発明が解決しようとする課題】
【０００３】
上述したようにＸ線管装置においては通常Ｘ線管容器２の側面に絶縁油６の温度上昇による体積の増加分を吸収するためにベロー７が取り付けられるとともに、その拡張スペースとしてのベロースペース８が確保されているので、Ｘ線管容器２はその分長手方向に延長され、Ｘ線管容器２や鉛板９の重量が増加し、結局Ｘ線管装置の重量増加につながっている。そしてＸ線管装置の重量の増加は通常Ｘ線透視撮影装置の操作性に大きく影響する。特に回診用Ｘ線装置等の移動式装置の場合、Ｘ線管装置の重量増加による移動式装置全体の重量の増加は操作者が装置を移動させるとき大きな負担になる。またＸ線管装置とＸ線受光部を被検者のまわりで移動させて撮影を行う断層撮影装置や循環器撮影装置等においては、画質の向上のために必要なＸ線管装置の高速移動による撮影時間の短縮を困難にするとともに、Ｘ線管装置を保持するアームにより大きな強度と剛性を持たせなければならないことや、Ｘ線管装置を移動させる動力を供給するモータの出力もより大きいものが必要になる等のため透視撮影装置全体の大型化につながっている。本発明は上述のＸ線透視撮影装置の操作性の改善や小型化、さらにＸ線管装置を高速に移動させて撮影時間を短縮することによる断層撮影画像等の画質の向上を実現するためにＸ線管装置の重量を減少させることを目的とする。
【課題を解決するための手段】
【０００４】
請求項１記載の発明は上記の目的を達成するために、絶縁油が充填されたＸ線管容器内にＸ線管を封入したＸ線管装置において、前記Ｘ線管容器内にゴム製の風船状に成形されたベローを、前記ベローの内側の空気が前記Ｘ線管容器の外側の空間に出入り可能に固定するＸ線管装置を提供する。
【０００５】
請求項２記載の発明は上記の目的を達成するために、一個または複数個のゴム製の風船状に成形されたベローをそれぞれＸ線管容器内の伸縮しても高電圧印加部から絶縁距離を確保できる位置に配置し、絶縁油の膨張を前記ベローの収縮により吸収することにより前記Ｘ線管容器の長さを短縮した請求項１記載のＸ線管装置を提供する。
【発明の効果】
【０００６】
本発明により従来に比べてＸ線管容器の長さを短くできるので、Ｘ線管装置の重量を軽減することができ、その結果Ｘ線管装置を搭載するＸ線透視撮影装置の操作性の悪化や大型化を防ぐことが可能になるとともに、Ｘ線管装置とＸ線受光部を被検者のまわりで移動させて撮影を行う断層撮影装置や循環器撮影装置等においては、画質の向上のために必要なＸ線管装置の高速移動による撮影時間の短縮を実現することができる。
【発明を実施するための最良の形態】
【０００７】
図１および図２により本発明の実施例について説明する。ただし図１において図３と同じ符号で示される部品等は図３と同じものなのでそれらについての説明は省略する。図１に示すように、あらかじめそれぞれのスペースに適合した形状に成形された風船状のゴム成形品のベロー１０またはベロー１１を、例えばベロー１０については高電圧ソケット５の配置との関係上存在する従来絶縁油で満たされたデッドスペース、またベロー１１についてはＸ線管保持部３近辺のアース電位に近いデッドスペースのように、Ｘ線管容器２の内部で高電圧ソケット４あるいは５等の高電圧印加部から絶縁距離を確保した位置に配置し、図２に示すようにその一部に取り付けられた通気口金具１２をＸ線管容器２に設けられた孔部に通してナット１３によりＸ線管容器２に固定するとともに、Ｏリング１４により前記孔部からの絶縁油６の外部への漏洩を防止する。通気口金具１２の中心部には通気口１５が風船状のベロー１０またはベロー１１の内部の空間とＸ線管容器２の外部の大気を結ぶように設けられているので、ベロー１０またはベロー１１は絶縁油６の温度が上昇してその体積が増加した場合、絶縁油６により圧縮されるが、その後絶縁油６の温度が下降してその体積が減少するにつれて元の形状に戻っていくように動作する。
【０００８】
上記のようにＸ線管容器２の内部に従来デッドスペースとして存在し、絶縁油６で満たされていた空間に配置可能な形状のベロー１０および１１を配置することにより、Ｘ線管容器２の長さを延長して得られる空間にベロースペース８を確保していた従来の方法に比べてＸ線管容器２の長さを短縮することができる。これによりＸ線管装置の重量が軽減されるので、Ｘ線管装置を搭載するＸ線透視撮影装置の操作性の悪化や大型化を防ぐことができるとともに、Ｘ線管装置とＸ線受光部を被検者のまわりで移動させて撮影を行う断層撮影装置や循環器撮影装置等においては、画質の向上のために必要なＸ線管装置の高速移動による撮影時間の短縮を実現することができる。
【産業上の利用可能性】
【０００９】
本発明はＸ線管容器とその中に封入配置されるＸ線管を含むＸ線管装置に関するものである。
【図面の簡単な説明】
【００１０】
【図１】本発明によるＸ線管装置の構成例を示す図である。
【図２】本発明によるベローの固定方法の例を示す図である。
【図３】従来のＸ線管装置の構成例を示す図である。
【符号の説明】
【００１１】
１：Ｘ線管
２：Ｘ線管容器
３：Ｘ線管保持部
４：高電圧ソケット
５：高電圧ソケット
６：絶縁油
７：ベロー
８：ベロースペース
９：鉛板
１０：ベロー
１１：ベロー
１２：通気口金具
１３：ナット
１４：Ｏリング
１５：通気口
【図１】
2007324013.tif 000003
【図２】
2007324013.tif 000004
【図３】
2007324013.tif 000005